(57)【特許請求の範囲】
【請求項１】
本体と、前記本体内部に防振支持された水槽と、前記水槽内に回転自在に内包された洗濯兼脱水槽と、前記洗濯兼脱水槽の中央内底部に回転自在に配設されたパルセータと、前記水槽内の前記パルセータの下方位置に形成されるポンプ室と、前記パルセータと一体的に形成され、前記ポンプ室に配設される羽根と、前記パルセータおよび前記洗濯兼脱水槽を回転駆動するモータと、前記水槽に給水する給水弁と、前記洗濯兼脱水槽の内壁に設けられ、前記ポンプ室内の洗濯液を前記洗濯兼脱水槽に循環する循環水路を形成する水路カバーと、前記水路カバーの上部に形成され、前記洗濯兼脱水槽内に洗濯液を供給する吐出口と、前記モータ、給水弁などの動作を制御し、洗い、すすぎ、脱水の各行程を制御する制御手段とを備え、前記水路カバーは、側面カバー部と、前記側面カバー部の上部に連設した横長形状である上部カバー部とにより形成され、前記吐出口は、前記上部カバー部に前記洗濯兼脱水槽の円周方向に略同一高さに複数個形成し、前記上部カバー部には、前記洗濯兼脱水槽の円周方向の両側端部に吐出口を形成し、前記吐出口は、前記上部カバー部の中央側から離間するに従って開口を狭く形成したことを特徴とする洗濯機。
【請求項２】
前記上部カバー部には、中央部に中央吐出口を、前記中央吐出口の左側に左吐出口を、右側に右吐出口を形成したことを特徴とする請求項１に記載の洗濯機。
【請求項３】
前記左吐出口および前記右吐出口は、前記中央吐出口に対してそれぞれ左右に３５°〜４５°の範囲に形成したことを特徴とする請求項２に記載の洗濯機。
【請求項４】
前記水路カバーは、前記洗濯兼脱水槽の相対向する位置に２つ設けた請求項１〜３のいずれか１項に記載の洗濯機。
【発明の詳細な説明】
【技術分野】
【０００１】
本発明は、洗い、すすぎ、脱水行程を行う洗濯機に関するものである。
【背景技術】
【０００２】
従来、この種の洗濯機は、洗浄性能向上のために、洗濯兼脱水槽に設置した循環水路を利用して洗濯液を循環し、洗濯兼脱水槽上部より洗濯液を衣類に掛けながら洗浄する構成が提案されている（例えば、特許文献１参照）。
【０００３】
図９は、特許文献１に記載された従来の洗濯機の縦断面図である。
【０００４】
図９において、洗濯兼脱水槽５３は、本体５５内にサスペンション５４によって防振支持されている。洗濯兼脱水槽５３の内面には、循環水路カバー５６を複数個取着し、洗濯兼脱水槽５３との間に独立した複数の循環水路５７ａ、５７ｂを形成している。
【０００５】
また、パルセータ５２の裏面に羽根５８を一体に設け、羽根５８の外周に形成したポンプ室５９を循環水路５７ａ、５７ｂに連通している。そして、循環水路５７ａ、５７ｂの上部に洗濯兼脱水槽５３の内部に向けて開口した開口部６０を形成し、循環水路５７ｂの上部の開口部６０には散水ノズル６１を設け、循環水路５７ａの上部の開口部６０には、糸くずフィルタ６２を設けている。
【０００６】
モータ６３は、Ｖベルト６４および減速機構６５を介して撹拌翼５２を駆動する。水位センサ６６は、水受槽５１の下部に接続されて洗濯兼脱水槽５３内の水位ａ、ｂを検知し、その出力を制御装置６７に入力するようになっている。
【０００７】
以上の構成にて、洗い行程では、モータ６３の回転に応じて撹拌翼５２が回転し、洗濯兼脱水槽５３内の洗濯物７３と洗濯液が撹拌される。一方、撹拌翼５２に設けた羽根５８と水受槽５１との間の洗濯液は、羽根５８の回転により遠心力で水受槽５１底部の外側に押し出され、循環水路５７ａ、５７ｂを通って、散水ノズル６１および糸くずフィルタ６２から洗濯兼脱水槽５３内に、モータ６３の回転に応じて間欠的に散水される。これにより、洗濯兼脱水槽５３内の洗濯物に対して、上方より多量の洗濯液を散水することになる。７２は給水弁、７４は排水弁である。
【先行技術文献】
【特許文献】
【０００８】
【特許文献１】特開平７−３１７８５号公報
【発明の概要】
【発明が解決しようとする課題】
【０００９】
しかしながら、前記従来の構成では、洗濯兼脱水槽内に洗濯液を散水するのは対向する２ヶ所の開口部であり、しかも１か所は糸くずフィルタを設けているので、実質１ヶ所の散水ノズルからのみとなる。このため、洗濯兼脱水槽内の洗濯物にムラなく均一に洗濯液を振り掛けることができず、洗いむらが大きくなるという課題があった。
【００１０】
本発明は、前記従来の課題を解決するもので、洗濯兼脱水槽に設けた循環水路の上部に複数の吐出口を設け、洗濯兼脱水槽内の洗濯物に対して広範囲に洗濯液を散水することにより、洗いむらを防止するとともに、泡立て性を向上させることで洗浄性能を向上させる洗濯機を提供することを目的としている。
【課題を解決するための手段】
【００１１】
前記従来の課題を解決するために、本発明の洗濯機は、本体と、前記本体内部に防振支
持された水槽と、前記水槽内に回転自在に内包された洗濯兼脱水槽と、前記洗濯兼脱水槽の中央内底部に回転自在に配設されたパルセータと、前記パルセータおよび前記洗濯兼脱水槽を回転駆動するモータと、前記水槽に給水する給水弁と、前記洗濯兼脱水槽の内壁に対向して設けられ、循環水路を形成する水路カバーと、前記水路カバーの上部に形成され、前記洗濯兼脱水槽内に洗濯液を供給する吐出口と、前記モータ、給水弁などの動作を制御し、洗い、すすぎ、脱水の各行程を制御する制御手段とを備え、前記水路カバーは、側面カバーと、前記側面カバーの上部に連設した横長形状である上部カバーとにより形成され、前記吐出口は、前記上部カバーに前記洗濯兼脱水槽の円周方向に略同一高さに複数個形成し、前記上部カバー部には、前記洗濯兼脱水槽の円周方向の両側端部に吐出口を形成し、前記吐出口は、前記上部カバー部の中央側から離間するに従って開口を狭く形成する構成としたものである。
【００１２】
これにより、洗い行程において、洗濯兼脱水槽内の洗濯物に対して、上方から満遍なく広範囲に洗濯液を散水しながら撹拌することができるので、洗いむらを防止して洗浄性能を向上することができる。
【発明の効果】
【００１３】
本発明の洗濯機は、洗濯兼脱水槽内の洗濯物に対して、上方から満遍なく洗濯液を散水しながら撹拌することができるので、洗いむらを防止するとともに、泡立て性を向上させることで洗浄性能を向上することができる。
【図面の簡単な説明】
【００１４】
【図１】本発明の実施の形態１における洗濯機の縦断面図
【図２】同洗濯機の洗濯兼脱水槽の断面図
【図３】同洗濯機の洗濯兼脱水槽を他の方向から見た断面図
【図４】同洗濯機の循環水路の上部水路部の断面図
【図５】同洗濯機の循環水路の上部水路部の要部拡大断面図
【図６】同洗濯機の循環水路の上部水路部を上方から見た要部拡大断面図
【図７】同洗濯機の循環水路の上部カバー部を上方から見た断面図
【図８】同洗濯機の循環水路からの吐出範囲と洗濯物との関係を示す図
【図９】従来の洗濯機の縦断面図
【発明を実施するための形態】
【００１５】
第１の発明は、本体と、前記本体内部に防振支持された水槽と、前記水槽内に回転自在に内包された洗濯兼脱水槽と、前記洗濯兼脱水槽の中央内底部に回転自在に配設されたパルセータと、前記水槽内の前記パルセータの下方位置に形成されるポンプ室と、前記パルセータと一体的に形成され、前記ポンプ室に配設される羽根と、前記パルセータおよび前記洗濯兼脱水槽を回転駆動するモータと、前記水槽に給水する給水弁と、前記洗濯兼脱水槽の内壁に設けられ、前記ポンプ室内の洗濯液を前記洗濯兼脱水槽に循環する循環水路を形成する水路カバーと、前記水路カバーの上部に形成され、前記洗濯兼脱水槽内に洗濯液を供給する吐出口と、前記モータ、給水弁などの動作を制御し、洗い、すすぎ、脱水の各行程を制御する制御手段とを備え、前記水路カバーは、側面カバー部と、前記側面カバー部の上部に連設した横長形状である上部カバー部とにより形成され、前記吐出口は、前記上部カバー部に前記洗濯兼脱水槽の円周方向に略同一高さに複数個形成し、前記上部カバー部には、前記洗濯兼脱水槽の円周方向の両側端部に吐出口を形成し、前記吐出口は、前記上部カバー部の中央側から離間するに従って開口を狭く形成した洗濯機とすることにより、洗い行程において、洗濯兼脱水槽内の洗濯物に対して、上方から満遍なく広範囲に洗濯液を散水しながら撹拌することができるので、洗いむらを防止して洗浄性能を向上することができる。
【００１７】
第２の発明は、第１の発明において、前記上部カバー部には、中央部に中央吐出口を、前記中央吐出口の左側に左吐出口を、右側に右吐出口を形成することにより、洗濯液を広範囲に散水して、洗濯物に洗濯液を浸透させることができ、洗いむらを防止して洗浄性能を向上することができる。
【００１８】
第３の発明は、第２の発明において、前記左吐出口および前記右吐出口は、前記中央吐出口に対してそれぞれ左右に３５°〜４５°の範囲に形成することにより、より広範囲に洗濯液を散水することができる。
【００１９】
第４の発明は、第１から第３のいずれかの発明において、前記水路カバーは、前記洗濯兼脱水槽の相対向する位置に２つ設けることにより、広範囲に洗濯液を散水することができる。
【００２０】
以下、本発明の実施の形態について、図面を参照しながら説明する。なお、この実施の形態によって本発明が限定されるものではない。
【００２１】
（実施の形態１）
図１は、本発明の実施の形態１における洗濯機の縦断面図、図２は、同洗濯機の洗濯兼脱水槽の断面図、図３は、同洗濯機の洗濯兼脱水槽を他の方向から見た断面図、図４は、同洗濯機の循環水路の上部水路部の断面図、図５は、同洗濯機の循環水路の上部水路部の要部拡大断面図、図６は、同洗濯機の循環水路の上部水路部を上方から見た要部拡大断面図である。
【００２２】
図１において、本体１は、内部に複数のサスペンション２によって防振支持した水槽３を設け、脱水時に水槽３に生じる振動をサスペンション２によって吸収する構成としている。水槽３の底部には、排水口２５と排水弁２６を設けている。
【００２３】
水槽３の内部には、洗濯物を収納する洗濯兼脱水槽７を回転可能に配設している。洗濯兼脱水槽７は、側壁に多数の脱水孔５を多数設け、上部には脱水振動低減用の環状の流体バランサ６が取り付けられている。
【００２４】
洗濯兼脱水槽７は、中空で２重構造とした洗濯・脱水軸４を中心に回転可能に配設し、洗濯兼脱水槽７の内底部には、衣類（洗濯物）を撹拌するパルセータ８を回転自在に配設している。
【００２５】
水槽３の底部には、モータ９が取り付けられている。モータ９は、クラッチ機構およびブレーキ機構を内蔵している。モータ９は、洗濯時には、洗濯・脱水軸４の脱水軸を制動させるとともに、洗濯・脱水軸４の洗濯軸を駆動して、パルセータ８を回転駆動する。また、モータ９は、脱水時には、洗濯・脱水軸４の脱水軸の制動を解除し、洗濯・脱水軸４を駆動して洗濯兼脱水槽７を回転駆動させる。脱水時には、排水弁２６を開放し、水槽３内の洗濯液、または、すすぎ液を排水口２５から排水弁２６を介して機外に排水する。
【００２６】
また、上部枠体２１は、本体１の上部を覆うもので、略中央部に形成された洗濯物投入口２７を覆う開閉蓋２８を開閉自在に有し、前面部に設けた操作表示部２３の内方に制御装置２４を設けるとともに、後部内方に洗濯兼脱水槽７内に給水する給水弁２２を設けている。
【００２７】
制御装置２４は、マイクロコンピュータからなる制御手段（図示せず）を具備し、モータ９、給水弁２２、排水弁２６などを制御するとともに、洗い、すすぎ、脱水の一連の行程を逐次制御するように構成している。
【００２８】
洗濯兼脱水槽７の下部には、洗濯兼脱水槽７の底面部を構成する合成樹脂製の底面部材３１が装着されている。底面部材３１には、側面にパルセータ８と近接して対向する段部（図示せず）が形成されており、段部と底面部材３１の内底面との間にパルセータ８が収容される空間を形成している。この空間には、パルセータ８裏面と底面部材３１内底面との間でポンプ室１９が形成され、ポンプ室１９にパルセータ８に形成した羽根１８が配置される。パルセータ８の外周端部８ａは、段部の上方に位置している。
【００２９】
図２〜図６に示すように、洗濯兼脱水槽７の内壁に相対向して一対の水路カバー１４が設けられている。水路カバー１４から９０°回転した一方の位置に糸屑フィルタ３２を配設している。また、水路カバー１４から９０°回転した他方の位置である糸屑フィルタ３２と相対向する位置にカバー３３が設けられている。カバー３３には、洗濯兼脱水槽７の高さの略中間の位置に低水位吐出口３４が形成されている。
【００３０】
底面部材３１の水路カバー１４が装着される位置は、洗濯兼脱水槽７と略同径の円弧状に形成され、ポンプ室１９から連通する空間が形成され、水路カバー１４を装着することにより形成される循環水路１０とポンプ室１９とが連通するように構成されるとともに、底面部材３１の表面と水路カバー１４の表面がほぼ段差のない形状となるように構成される。水路カバー１４の下端部には、段部３７が形成されており、底面部材３１の段部と連続するよう構成している。
【００３１】
水路カバー１４は、略Ｔ字状に形成され、洗濯兼脱水槽７の内壁部側面に洗濯兼脱水槽７の回転軸（上下）方向に延びる側面カバー部１５と、洗濯兼脱水槽７の上部の流体バランサ６の下方位置にて洗濯兼脱水槽７の円周方向に延びる上部カバー部１６とで構成している。水路カバー１４は、側面カバー部１５を、洗濯兼脱水槽７の側面にパッキング部材等を介して水密的に装着し、上部カバー部１６には、洗濯兼脱水槽７の側面側より後カバー部３８を装着することにより、循環水路１０を形成する。循環水路１０は、側面カバー部１５内に形成される側面水路１７と、上部カバー部１６内に形成される上部水路２０により構成される。上部水路２０は、左側上部水路４１と右側上部水路４２とにより構成される。
【００３２】
パルセータ８を回転させると、羽根１８の回転によりポンプ室１９内の洗濯液が水路カバー１４の循環水路１０に向かって送られるようになっている。また、糸屑フィルタ３２およびカバー３３内にも洗濯液が送られる。
【００３３】
上部カバー部１６の中央部で側面カバー部１５の上方位置には、中央吐出口１１が形成され、上部カバー部１６の左側端部（洗濯兼脱水槽７の回転中心から見て）には、左吐出口１２が、上部カバー部１６の右側端部（洗濯兼脱水槽７の回転中心から見て）には、右吐出口１３が形成されている。中央吐出口１１、左吐出口１２、および右吐出口１３は、流体バランサ６の下方位置にて、洗濯兼脱水槽７の円周方向に略同じ高さに形成されている。
【００３４】
図４に示すように、水路カバー１４の循環水路１０側には、側面カバー部１５の上部から上部カバー部１６の上端部側に亘って、左ガイド壁３５と右ガイド壁３６が形成されている。
【００３５】
左ガイド壁３５は、水路カバー１４の左内側面との間に間隔を有して形成し、側面水路
１７を上部水路２０に向かって上昇する洗濯液を左側上部水路４１に向かって案内するよう上方になるに従って左側上部水路４１に向かって湾曲している。左ガイド壁３５の上端部は、中央吐出口１１の左側の口縁部を構成している。左側上部水路４１の左端部には、かつ左吐出口１２の左側端部に沿うように、水路カバー１４の左内側面と略並行に左側規制壁４４を形成し、左側規制壁４４は、左側上部水路４１内の洗濯液が左吐出口１２に向かって流れるようにしている。
【００３６】
右ガイド壁３６は、水路カバー１４の右内側面との間に間隔を有して形成し、側面水路１７を上部水路２０に向かって上昇する洗濯液を右側上部水路４２に向かって案内するよう上方になるに従って右側上部水路４２に向かって湾曲している。右ガイド壁３６の上端部は、中央吐出口１１の右側の口縁部を構成している。右側上部水路４２の右端部には、かつ右吐出口１３の右側端部に沿うように、水路カバー１４の右内側面と略並行に右側規制壁４５を形成し、右側規制壁４５は、右側上部水路４２内の洗濯液が右吐出口１３に向かって流れるようにしている。
【００３７】
左ガイド壁３５と右ガイド壁３６との間には、側面水路１７を上部水路２０に向かって上昇する洗濯液を中央吐出口１１に向かって案内するよう間隔を形成し、中央水路４３を形成している。中央水路４３への入口である中央水路入口４３ａは、左側上部水路４１への入口である左側上部水路入口４１ａと右側上部水路４２への入口である右側上部水路入口４２ａよりも狭く形成し、中央吐出口１１と、左吐出口１２と、右吐出口１３とに向かって流れる洗濯液の流量が略同一になるように構成している。
【００３８】
中央吐出口１１は、中央部分の開口下縁を上方に向けて隆起させることにより、中央部分の開口を狭くするとともに、両端部分の開口下縁を両端になるに従って上方に向けて隆起させて両端の開口を両端側になるに従って狭くなるように構成し、中央吐出口１１から広範囲に略均一に散水するように構成している。
【００３９】
左吐出口１２は、左側端部になるに従って開口下縁を上方に向けて隆起させて左側端部になるに従って開口が狭くなるように構成し、左吐出口１２から広範囲に散水するように構成している。
【００４０】
右吐出口１３は、右側端部になるに従って開口下縁を上方に向けて隆起させて右側端部になるに従って開口が狭くなるように構成し、右吐出口１３から広範囲に散水するように構成している。
【００４１】
以上のように構成した洗濯機において、以下、その動作、作用を説明する。
【００４２】
洗い行程において、洗濯兼脱水槽７内に洗濯物を投入し、操作表示部２３のスタートボタン（図示せず）を押してスタートすると、布量検知手段（図示せず）にて布量を検知して操作表示部２３に布量に応じた洗剤量を表示する。表示された洗剤量を投入すると、給水弁２２が動作して布量に応じた水位まで給水し、パルセータ８が回転して洗い工程を開始する。
【００４３】
洗い工程を開始すると、パルセータ８の回転により、給水された水に効率よく洗剤が溶解される。洗剤が溶解された洗濯液は、羽根１８の回転による遠心力によりポンプ室１９から循環水路１０の側面水路１７から上部水路２０へ上昇する。洗濯液は、左ガイド壁３５と右ガイド壁３６により、中央水路４３、左側上部水路４１および右側上部水路に分流され、中央吐出口１１、左吐出口１２および右吐出口１３から洗濯兼脱水槽７内の洗濯物に向かって散水され、洗濯液を洗濯物に浸透させる。
【００４４】
水路カバー１４の循環水路１０側には、側面カバー部１５の上部から上部カバー部１６の上端部側に亘って、洗濯液を左側上部水路４１に導く左ガイド壁３５と、右側上部水路４２に導く右ガイド壁３６を形成し、左ガイド壁３５と右ガイド壁３６との間に中央水路４３を形成しているので、循環水路１０を流れる洗濯水を効率よく中央吐出口１１と、左吐出口１２と、右吐出口１３とに分岐させることができる。
【００４５】
左ガイド壁３５と右ガイド壁３６の形状、左側上部水路４１と右側上部水路４２と中央水路４３の断面積等を調整することによって、中央吐出口１１、左吐出口１２、右吐出口１３へ流れる洗濯水の流量を略均等にすることができる。
【００４６】
図４に示すように、中央吐出口１１は、中央部分の開口下縁を上方に向けて隆起させることにより、中央部分の開口を狭くしている。中央部分の開口幅を狭めていない場合には、洗濯液が中央部分から最も流れ易いために、中央部分からの洗濯液の量が増大し、洗濯液を広範囲に散水することができない。本実施の形態では、中央吐出口１１の中央部分の開口を狭めているので、洗濯液が中央部分に集中するのを抑制し、洗濯液を中央吐出口１１全体から広範囲に散水させることができる。
【００４７】
また、中央吐出口１１は、両端部分の開口下縁を両端になるに従って上方に向けて隆起させ、両端部分の開口を両端側になるに従って狭くなるように構成している。両端部分の開口を狭めていない場合には、洗濯液は、左ガイド壁３５と右ガイド壁３６に案内されて、中央吐出口１１全体に広がり、両端部分で左ガイド壁３５と右ガイド壁３６に流れを遮られるため、中央吐出口１１両端部分からの洗濯液の流量が増大する。
【００４８】
本実施の形態では、中央吐出口１１は、両端部分の開口下縁を両端になるに従って上方に向けて隆起させて両端部分の開口を両端側になるに従って狭くなるように構成しているので、中央吐出口１１の両端部分からの洗濯液の流量が抑制でき、洗濯液を中央吐出口１１全体から略均一に広範囲に散水させることができる。
【００４９】
左吐出口１２は、左側規制壁４４側の左側端部になるに従って開口下縁を上方に向けて隆起させ、左側端部になるに従って開口が狭くなるように構成し、右吐出口１３は、右側規制壁４５側の右側端部になるに従って開口下縁を上方に向けて隆起させ、右側端部になるに従って開口が狭くなるように構成している。
【００５０】
左側上部水路４１に流入した洗濯水は、左側規制壁４４により流れが規制され左吐出口１２に向かって流れる。このとき、左吐出口１２の開口幅を同じにした場合、左吐出口１２の左側規制壁４４（左側端部）側の洗濯水の流量が多くなり、また、左側上部水路４１の延設方向に流れやすくなり、不均一な洗濯水の吐出となる。これに対し、本実施の形態では、左側端部になるに従って開口下縁を上方に向けて隆起させて開口が狭くなるように構成しているので、左側端部側から吐出する洗濯水の量を絞っているので、左吐出口１２から吐出される洗濯水を洗濯物に対し広範囲に均等に散水させることができるものである。
【００５１】
また、右側上部水路４２に流入した洗濯水は、右側規制壁４５により流れが規制され右吐出口１３に向かって流れる。このとき、右吐出口１３の開口幅を同じにした場合、右吐出口１３の右側規制壁４５（右側端部）側の洗濯水の流量が多くなり、また、右側上部水路４２の延設方向に流れやすくなり、不均一な洗濯水の吐出となる。これに対し、本実施の形態では、右側端部になるに従って開口下縁を上方に向けて隆起させて開口が狭くなるように構成しているので、右側端部側から吐出する洗濯水の量を絞っているので、右吐出口１３から吐出される洗濯水を洗濯物に対し広範囲に均等に散水させることができるものである。
【００５２】
図８は、本発明の実施の形態における洗濯機の循環水路からの吐出範囲と洗濯物との関係を示す図である。
【００５３】
図８に示すように、一方の循環水路１０の中央吐出口１１、左吐出口１２、および右吐出口１３からの散水は、洗濯兼脱水槽７内の約半分の面積を占めるので、一対の循環水路１０からの散水により、洗濯兼脱水槽７内の洗濯物３０のほぼ全体に上方より洗濯液を散水して洗濯物に洗濯液を浸透させることができる。これにより、洗いむらを防止して洗浄性能を向上することができる。
【００５４】
実験の結果、中央吐出口１１の中心位置と左吐出口１２の中心位置との角度、中央吐出口１１の中心位置と右吐出口１３の中心位置との角度は、３５°〜４５°の範囲に設定することが好ましい。この構成により、洗濯兼脱水槽７内全体にむらなく散水することができる。循環水路の洗濯液の流速、吐出口の形状等により異なるが、角度を上記範囲に設定することにより、洗濯兼脱水槽７内全体に散水することができる。
【００５５】
なお、すすぎ行程においては、すすぎ水を洗い時と同じように、洗濯物の上方から幅広く散水するので、すすぎを促進してすすぎ性能を向上することができる。
【００５６】
図７は、本発明の実施の形態における循環水路１０の上部水路２０の断面図である。
【００５７】
図７に示すように、上部カバー部１６の前面側の両端部には、傾斜面３９を形成している。上部カバー部１６の両端部に形成した傾斜面３９により、上部カバー部１６の両端部は、洗濯兼脱水槽７の内周面に滑らかな傾斜で連続する。従って、洗い工程、すすぎ工程において、洗濯物が上部カバー部１６の両端部で引っかかりにくくなり、洗濯物が引っかかり、回転しにくくなることによる洗いむら、すすぎむらを抑制することができる。
【００５８】
また、中央吐出口１１、左吐出口１２、および右吐出口１３の開口周縁には、洗濯兼脱水槽７内面側に隆起部４０を形成している。隆起部４０を形成することにより、中央吐出口１１、左吐出口１２、および右吐出口１３に洗濯物が入り込んだり、引っかかったりしにくくなり、洗濯物が引っかかることによる洗いむら、すすぎむらを抑制することができる。
【００５９】
なお、上述した本実施の形態では、水路カバー１４に、中央吐出口１１と左吐出口１２と右吐出口１３の３つの吐出口を形成したが、例えば、中央吐出口１１をなくして、左吐出口１２と右吐出口１３のみとしてもよい。また、左吐出口１２あるいは右吐出口１３のいずれか一方をなくしてもよい。あるいは、上部カバー部１６に側面カバー部１５に対して左右にそれぞれ２つ、合計４つの吐出口を形成してもよい。
【００６０】
本発明は、水路カバー１４の上部に洗濯兼脱水槽７の円周方向に複数の吐出口を形成するものであり、吐出口の形状、数等は実施の形態に限定するものではない。
【００６１】
以上のように、本実施の形態においては、循環水路１０を水密的に形成する水路カバー１４は、洗濯兼脱水槽７の内壁部が縦長形状である側面カバー部１５と、上部が横長形状である上部カバー部１６とで略Ｔ字形状に一体形成され、上部カバー部１６の中央部に中央吐出口１１を、中央吐出口１１の左側に左吐出口１２を、右側に右吐出口１３を形成して、パルセータ８の回転により洗濯液を循環水路１０を経由して、中央吐出口１１、左吐出口１２、右吐出口１３から洗濯兼脱水槽７内に散水する構成とすることにより、洗い行程およびすすぎ行程において、洗濯兼脱水槽７内の洗濯物に対して、上方から満遍なく洗濯液を散水しながら撹拌することができるので、洗いむらおよびすすぎむらを防止して洗
浄性能およびすすぎ性能を向上することができる。
【産業上の利用可能性】
【００６２】
以上のように、本発明にかかる洗濯機は、洗濯兼脱水槽内の洗濯物に対して、上方から満遍なく洗濯液を散水しながら撹拌することにより、洗いむらを防止して洗浄性能を向上させることが可能となるので、ドラム式や他の洗濯機の用途に適用できる。
【符号の説明】
【００６３】
７  洗濯兼脱水槽
８  パルセータ
１０  循環水路
１１  中央吐出口
１２  左吐出口
１３  右吐出口
１４  水路カバー
１５  側面カバー部
１６  上部カバー部
１７  側面水路
１８  羽根
１９  ポンプ室
２０  上部水路
３１  底面部材
３５  左ガイド壁
３６  右ガイド壁
【図１】
0006311125.tif 000002
【図２】
0006311125.tif 000003
【図３】
0006311125.tif 000004
【図４】
0006311125.tif 000005
【図５】
0006311125.tif 000006
【図６】
0006311125.tif 000007
【図７】
0006311125.tif 000008
【図８】
0006311125.tif 000009
【図９】
0006311125.tif 000010